【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
ポータブル情報デバイスであって、
ハウジングであって、該ハウジングは、ディスプレイにより少なくとも部分的に定められた上面と、電気コネクタ及びデータ・コネクタが位置する底面とを含み、プロセッサが設けられた内部容積を囲み、前記上面及び底面は、それらの間に広がる周囲側端により結合された、前記ハウジングと、
前記ハウジングの表面に形成されたマウンティング構造であって、前記ハウジングから突き出る凸を含む前記マウンティング構造と
を有する前記ポータブル情報デバイスと、
フレームを有するバンドであって、前記フレームは前記バンドにおける空洞を取り囲み、前記フレームは、前記ハウジングの前記周囲側端を取り囲む補完的形状を有し、前記マウンティング構造を受けるように構成され、前記フレームは、該フレームの側面に形成され、前記空洞に通じる開口を有する凹を含み、前記フレーム及びマウンティング構造は、少なくともある力が加わることに基づく前記凸と前記凹の係合及び係合解除を介して解除可能なように固定可能であり、前記フレームが前記マウンティング構造に固定されたときに、前記ハウジング及び前記マウンティング構造は前記フレームにある向きで結合し、前記ある向きは、前記ハウジング及び前記マウンティング構造が前記空洞に及び、前記ポータブル情報デバイスの前記ディスプレイが、前記フレーム内に、前記空洞の少なくとも一部を占め、前記空洞から上方へと向くように位置する向きであり、前記ハウジング及びマウンティング構造の前記空洞への進入は、前記ハウジング及びマウンティング構造の前記フレームの表面との接触により止まる、前記バンドと
を含むパーソナル情報システム。
【請求項２】
請求項１に記載のシステムであって、マウンティング・ウェルを有するように構成されたドックであって、前記マウンティング・ウェルは、前記ポータブル情報デバイスを受け、解除可能なように固定するよう構成され、前記マウンティング・ウェルは、前記ポータブル情報デバイスの前記マウンティング構造に適合するサイズの外部周囲壁を有する、前記ドックを更に含むシステム。
【請求項３】
請求項２に記載のシステムであって、前記底面は中央領域を有するように構成され、前記中央領域内には前記電気コネクタ及び前記データ・コネクタが位置し、前記ドックは、対応するドック側電気コネクタ及びドック側データ・コネクタを、前記ドックの前記マウンティング・ウェルの中央領域に更に含む、システム。
【請求項４】
請求項２に記載のシステムであって、前記ポータブル情報デバイスは、磁石により前記ドックに解除可能なように固定される、システム。
【請求項５】
請求項１に記載のシステムであって、前記マウンティング構造は、前記ハウジングの周囲の少なくとも部分に形成されたふちと、前記ふちから前記上面へと上方に広がり、前記ハウジングの周囲の少なくとも部分に広がる、前記マウンティング構造の縮小された周囲壁とを含み、前記縮小された周囲壁は、前記フレームの内部周囲壁の形状と対応する形状を有し、前記ふちは、前記マウンティング構造が前記フレームと係合してその進入が止まるときに前記フレームの底面と接触する、システム。
【請求項６】
請求項５に記載のシステムであって、前記ハウジングは、前記ドックの前記マウンティング・ウェルに、前記フレームが前記ハウジングに結合し前記バンドが前記フレームに結合している間にマウントされるように構成された、システム。
【請求項７】
請求項１に記載のシステムであって、前記底面は光学センサを更に含み、該光学センサは光エミッタと少なくとも１つの光センサとを含み、前記光エミッタは光をユーザの皮膚に照射するよう構成され、前記光センサは、ユーザのバイオメトリック・パラメータを、前記デバイスを前記ユーザが着用しているときに測定するよう構成された、システム。
【請求項８】
請求項７に記載のシステムであって、前記ポータブル情報デバイスの前記底面で中央領域の周りに形成され、前記光学センサを取り囲む光シーリング・ガスケットを更に含み、該光シーリング・ガスケットは、前記ユーザの表面に接触して外光が入らないように構成され、それによって、前記光学センサが外光からの干渉なく機能することを可能にする、システム。
【請求項９】
請求項８に記載のシステムであって、前記プロセッサに、前記光学センサからの測定されたバイオメトリック・パラメータを示す信号を受信させ、前記ディスプレイ上に前記測定されたバイオメトリック・パラメータを示すものを表示させるプログラムを更に含むシステム。
【請求項１０】
請求項１に記載のシステムであって、前記凸は、前記ハウジングの周囲側端に形成された、システム。
【請求項１１】
請求項１に記載のシステムであって、前記ある力は、前記ポータブル情報デバイスの表面に加わる、システム。
【請求項１２】
請求項１１に記載のシステムであって、前記ある力が加わる前記表面は、前記ハウジングの前記上面である、システム。
【請求項１３】
ウェアラブル・パーソナル情報システムと共に用いるための方法であって、
ハウジング及びマウンティング構造を有するポータブル情報デバイスを、バンドに結合されたフレームであって、前記ポータブル情報デバイスの前記ハウジングの周囲側端を取り囲む補完的形状を有する前記フレームにおける空洞に、前記ハウジング及びマウンティング構造の前記空洞への進入が、前記ハウジング及びマウンティング構造が前記フレームの表面と接触し、隆起と溝の接続が、前記マウンティング構造上の凸と、前記フレームの表面に形成され前記空洞に通じる開口を有する凹との間に確立されることにより止まるまで挿入するステップであって、前記フレームが前記マウンティング構造に固定されたときに、前記ハウジング及び前記マウンティング構造は前記フレームにある向きで結合し、前記ある向きは、前記ハウジング及び前記マウンティング構造が前記空洞に及び、前記ポータブル情報デバイスのディスプレイが、前記フレーム内に、前記空洞の少なくとも一部を占め、前記空洞から上方へと向くように位置する向きであり、前記ポータブル情報デバイスは、前記バンドに結合された前記フレームに、少なくともある力が加わることに基づく前記凸と前記凹の係合及び係合解除を介して解除可能なように固定される、ステップ
を含む方法。
【請求項１４】
請求項１３に記載の方法であって、
前記バンドをユーザの体の部分の周りに位置付けるステップであって、それによって、前記ポータブル情報デバイスの前記ハウジングの底面に形成された光学センサを前記体の部分の皮膚に近接して位置付け、前記底面で前記光学センサの周りに形成されたガスケットが前記光学センサを外光から遮蔽するステップ
を更に含む方法。
【請求項１５】
請求項１４に記載の方法であって、
前記光学センサを介して前記ユーザのバイオメトリック・パラメータを測定するステップと、
前記バイオメトリック・パラメータを示すものを前記ポータブル情報デバイスのディスプレイに表示するステップと
を更に含む方法。
【請求項１６】
請求項１３に記載の方法であって、
前記ポータブル情報デバイスのハウジングの上部に力を加えるステップであって、前記隆起と溝の接続を解除し、前記ポータブル情報デバイスを前記フレームの底部側から外すステップ
を更に含む方法。
【請求項１７】
請求項１６に記載の方法であって、
前記ポータブル情報デバイスをドックのマウンティング・ウェルに、前記ポータブル情報デバイスが前記マウンティング・ウェルにおいて、前記ポータブル情報デバイスの磁力及び変形するシール部材の一方又は双方により解除可能なように固定され、前記ポータブル情報デバイスの前記ハウジングの底部側に形成された電気コネクタ及びデータ・コネクタが前記マウンティング・ウェルの対応する電気コネクタ及びデータ・コネクタと結合するまで挿入して、充電及びデータ伝送を可能にするステップ
を更に含む方法。
【請求項１８】
請求項１７に記載の方法であって、前記ポータブル情報デバイスを前記マウンティング・ウェルに挿入するステップは、前記ポータブル情報デバイスが、前記バンドに結合された前記フレームに固定されている間に行われる、方法。
【請求項１９】
請求項１７に記載の方法であって、前記ポータブル情報デバイスを前記マウンティング・ウェルに挿入するステップは、前記ポータブル情報デバイスが前記バンドの前記フレームから解除され分離している間に行われる、方法。
【請求項２０】
請求項１３に記載の方法であって、前記ある力は、前記ポータブル情報デバイスの表面に加わる、方法。
【請求項２１】
請求項２０に記載の方法であって、前記ある力が加わる前記表面は、前記ハウジングの上面である、方法。
【請求項２２】
情報デバイスであって、
ディスプレイにより少なくとも部分的に定まる上面と、中央領域を有するように構成された底面とを含むハウジングであって、前記中央領域において、光学センサと、電気コネクタと、データ・コネクタとが位置し、前記ハウジングは、プロセッサが設けられた内部容積を取り囲み、前記上面及び底面は、それらの間に広がる周囲側端により結合され、前記光学センサは、前記デバイスのユーザのバイオメトリック・パラメータを、前記デバイスを前記ユーザが着用しているときに測定するように構成され、前記データ・コネクタ及び電気コネクタは、ドック上の対応するコネクタと接続して、前記情報デバイスを充電し、データ伝送するように構成された、前記ハウジングと、
前記ハウジングの表面に形成されたマウンティング構造であって、凸を含む前記マウンティング構造と
を有する前記情報デバイスと、
バンドであって、前記バンドにはフレームが結合され、前記フレームは、空洞を取り囲み、前記ハウジングの前記周囲側端を取り囲む補完的な形状を有し、前記フレームは、前記空洞に通じる開口を有する凹を含み、前記フレームは前記マウンティング構造を受けるように構成され、前記フレーム及びマウンティング構造は、隆起と溝の接続を介して、少なくともある力が加わることに基づく前記凸と前記凹の係合及び係合解除により解除可能なように固定可能であり、前記フレームが前記マウンティング構造に固定されたときに、前記ハウジング及び前記マウンティング構造は前記フレームにある向きで結合し、該ある向きは、前記ハウジング及び前記マウンティング構造が前記空洞に及び、前記情報デバイスの前記ディスプレイが、前記フレーム内に、前記空洞の少なくとも一部を占め、前記空洞から上方に向く向きである、前記バンドと
を含むパーソナル情報システムであって、前記マウンティング構造は、前記ハウジングの周囲の少なくとも部分に形成されたふちを含み、前記マウンティング構造の縮小された周囲壁が、前記ふちから前記上面へと上方に広がり、前記ハウジングの周囲の少なくとも部分に広がり、前記縮小された周囲壁は、前記フレームの内部周囲壁の形状に対応した形状を有し、前記ふちは前記フレームの底面に、前記マウンティング構造が前記フレームと係合してその侵入を止める時に接触する、パーソナル情報システム。
【請求項２３】
請求項２２に記載のパーソナル情報システムであって、
マウンティング・ウェルを有するように設けられたドックであって、前記マウンティング・ウェルは、前記情報デバイスを受け、解除可能なように固定するように構成され、前記マウンティング・ウェルは、前記情報デバイスの前記マウンティング構造に適合するサイズの外部周囲壁を有し、前記ドックは、対応するドック側電気コネクタ及びドック側データ・コネクタを、前記ドックの前記マウンティング・ウェルの中央領域に更に含み、前記ドック側電気コネクタ及びドック側データ・コネクタは、前記情報デバイスの前記電気コネクタ及びデータ・コネクタと、前記情報デバイスが前記マウンティング・ウェルに解除可能なように固定されているときにそれぞれ接続するように構成された、前記ドック
を更に含むパーソナル情報システム。
【請求項２４】
請求項２２に記載のパーソナル情報システムであって、前記ある力は、前記情報デバイスの表面に加わる、パーソナル情報システム。
【請求項２５】
請求項２４に記載のパーソナル情報システムであって、前記ある力が加わる前記表面は、前記ハウジングの前記上面である、パーソナル情報システム。
【請求項２６】
ポータブル情報デバイスであって、
ディスプレイにより少なくとも部分的に定められた上面と、電気コネクタ及びデータ・コネクタが位置する底面とを含むハウジングであって、前記ハウジングは、プロセッサが設けられた内部容積を取り囲み、前記上面及び底面は、それらの間に広がる周囲側端により結合された、前記ハウジングと、
前記ハウジングの表面に形成されたマウンティング構造であって、前記ハウジングに形成された凹を含む前記マウンティング構造と
を有する前記ポータブル情報デバイスと、
フレームを有するバンドであって、前記フレームは前記バンドにおける空洞を取り囲み、前記フレームは、前記ハウジングの前記周囲側端を取り囲む補完的形状を有し、前記マウンティング構造を受けるように構成され、前記フレームは、該フレームの側面に形成された凸を含み、前記フレーム及びマウンティング構造は、前記凸と前記凹の係合を介して、前記フレームが前記マウンティング構造に固定されているときに、前記ハウジング及び前記マウンティング構造が前記フレームにある向きで結合するように解除可能なように固定可能であり、前記ある向きは、前記ハウジング及び前記マウンティング構造が前記空洞に及び、前記ポータブル情報デバイスの前記ディスプレイが、前記フレーム内に、前記空洞の少なくとも一部を占め、前記空洞から上方に向くように位置する向きであり、前記ハウジング及びマウンティング構造の前記空洞への進入は、前記ハウジング及びマウンティング構造が前記フレームの表面と接触することにより止まる、前記バンドと
を含むパーソナル情報システム。